(57)【要約】【課題】測定再現性を向上させることを可能にするとともに、参照電極側からの浸水を防止して、測定部の破損を防止することを可能にした参照電極が着脱自在の複合電極を提供する。【解決手段】先端に液絡部１１を備えた参照電極１と、先端部に化学的変化量を検出するセンサ２１と前記参照電極を保持する中空部２２とを備えた筒状体２と、を有する複合電極であり、前記参照電極１の先端部外周の一部にフランジ１２を設け、前記筒状体２の先端部に前記フランジ挿入口２３を形成し、このフランジ挿入口２３の測定部側内周にフランジ案内溝２４を形成し、前記フランジ挿入口２３から前記フランジ１２を挿入して、前記フランジ１２をフランジ案内溝２４に案内することにより、前記参照電極１を前記筒状体２に着脱自在にしてあることを特徴とする複合電極。【選択図】図７
2004028677.tif 000002
【特許請求の範囲】
【請求項１】
先端に液絡部を備えた参照電極と、先端部に化学的変化量を検出するセンサと前記参照電極を保持する中空部とを備えた筒状体と、を有する複合電極であり、前記参照電極の先端部外周の一部にフランジを設け、前記筒状体の先端部に参照電極固定手段を設け、前記フランジが前記参照電極固定手段に着脱することにより、前記参照電極を前記筒状体に着脱自在にしてあることを特徴とする複合電極。
【請求項２】
前記フランジを先端部同一外周円上に少なくとも一箇所設けてあることを特徴とする請求項１記載の複合電極。
【請求項３】
前記フランジの外周縁の一部又は全部を平滑にしてあることを特徴とする請求項１又は２記載の複合電極。
【請求項４】
前記フランジの筒状体挿入側の面にシール部を装着してあることを特徴とする請求項１乃至３のいずれかに記載の複合電極。
【請求項５】
前記参照電極固定手段は、前記筒状体の先端部に前記フランジが挿入するフランジ挿入口と、このフランジ挿入口の測定部側内周に前記フランジを案内するフランジ案内溝とを有することを特徴とする請求項１乃至４のいずれかに記載の複合電極。
【請求項６】
前記フランジ案内溝を前記フランジ挿入口の測定部側内周の一部若しくは全部に形成してあることを特徴とする請求項５記載の複合電極。
【請求項７】
前記フランジ挿入口を前記筒状体の先端部同一外周円上に少なくとも一箇所形成してあることを特徴とする請求項５又は６記載の複合電極。
【請求項８】
前記フランジ挿入口に挿入した前記フランジが前記フランジ案内溝を回動するためのフランジ回動手段を設けてあることを特徴とする請求項５又は６記載の複合電極。
【請求項９】
前記参照電極の先端面上に回動穴を少なくとも一つ形成し、この回動穴に心棒を挿し込めるように構成してあり、この心棒を回動させることにより、前記参照電極が回動し、前記フランジが前記フランジ案内溝に嵌まって、前記参照電極と前記筒状体とが着脱可能になるように構成してあることを特徴とする請求項８記載の複合電極。
【請求項１０】
前記参照電極の先端面上に突起を少なくとも一つ設け、この突起に中空の心棒を挿し込めるように構成してあり、この心棒を回動させることにより、前記参照電極が回動し、前記フランジが前記フランジ案内溝に嵌まって、前記参照電極と前記筒状体とが着脱可能になるように構成してあることを特徴とする請求項８記載の複合電極。
【請求項１１】
前記参照電極の後端部に雄型の参照電極接続端子を設け、前記フランジを前記参照電極固定手段で固定することにより、化学的変化量を測定する測定回路と電気的に接続する雌型同軸ケーブルに前記参照電極接続端子が嵌着して、前記液絡部と前記測定回路とが電気的に接続するように構成してあることを特徴とする請求項１乃至１０のいずれかに記載の複合電極。
【請求項１２】
前記筒状体に化学的変化量を測定する測定回路を備えてあることを特徴とする請求項１乃至１１のいずれかに記載の複合電極。
【発明の詳細な説明】
【０００１】
【発明の属する技術分野】
本発明は、例えば、水素イオン指数などの化学的変化量を検出・測定する複合電極に関するものである。
【０００２】
【従来の技術】
従来の参照電極１が着脱自在な複合電極の要部を図９及び図１０に示す。構成は以下の通りである。この従来例は、先端に液絡部１１を備え、後端に参照電極接続端子１４を備えた参照電極１と、先端部に化学的変化量を検出するセンサ２１と参照電極１を保持する中空部２２を備えた筒状体２と、を有する。また、参照電極接続端子１４に嵌着して電気的に接続する雌型同軸ケーブル３１と、この雌型同軸ケーブル３１に接続し、化学的変化量を測定する測定回路３２とを備えたカバー胴体３とを有し、このカバー胴体３を筒状体２に一体にしてある。
【０００３】
参照電極１の前部１６の剥き出し部分を後部１７より径を大きくして段差１８を設け、この後部１７の外周にシール部１９を設けてある。一方、筒状体２の前部に板状のセンサ部２６を設け、このセンサ部２６の先端にセンサ２１を設けてある。また、このセンサ部２６の後側に中空部２２を設けてあり、この中空部２２に参照電極１を嵌め合せる参照電極嵌合溝２７を形成してある。
【０００４】
参照電極１を筒状体２のセンサ部２６に沿って通し、参照電極１の後部１７を中空部２２に挿入し、参照電極１の段差１８と筒状体２中空部２２の先端２９とを突き合わせる。これにより、シール部１７が参照電極嵌合溝２７に嵌合し、参照電極１は筒状体２に保持される。これに伴い、参照電極接続端子１４が雌型同軸ケーブル３１に嵌着して、液絡部１１に測定回路３２とが電気的に接続する。
【０００５】
参照電極１を筒状体２から着脱する場合、このセンサ部２６に沿って参照電極１を通して、参照電極１の後部１７を中空部２２に挿入、並びに、参照電極を中空部２２から離脱するため、参照電極１とセンサ部２６との間に隙間があり、化学的変化量を測定することにより、この隙間に汚れが入り、センサ部２６に汚れが付着する。その結果、測定再現性が得られない問題が生じた。また、複合電極を洗浄する際、センサ部２６の汚れを取り除くために、参照電極１を筒状体２から離脱して、洗浄しなければならず、洗浄液がカバー胴体３の測定部内部に浸水するおそれがあり、この測定部が破損する問題が生じた。
【０００６】
【発明が解決しようとする課題】
本発明は、上記問題に鑑みてなされたものであり、測定再現性を向上させることを可能にするとともに、参照電極側からの浸水を防止して、測定部の破損を防止することを可能にした参照電極が着脱自在な複合電極を提供する。
【０００７】
【課題を解決しようとする手段】
上記目的を達成するためになされた本発明は、参照電極を比較的容易に着脱できるうえ、参照電極の大部分を筒状体に格納可能にしたことにより、参照電極を取り外すことなく、洗浄することができる。
【０００８】
また、本発明は、参照電極の先端部を洗浄するだけで、再度測定が可能となり、測定再現性を容易に維持することができる。
【０００９】
さらに、本発明は、参照電極の先端部を洗浄するだけで、再度測定可能になることから、測定部に洗浄液が浸水するおそれがなくなり、測定部の破損を防止することができる。
【００１０】
【発明の実施の形態】
以下、添付図面を用いて本発明複合電極に係る実施例を説明する。図１乃至図８は本発明に係る複合電極の要部を示し、図１及び図２は複合電極の側面断面を、図３及び図４は図１図示Ａ−Ａ断面図を、図５及び図７は平面断面、図６及び図８は図５若しくは図７図示の要部拡大図を夫々示す。１は参照電極、１１は液絡部、１２はフランジ、１３はシール部、１４は参照電極接続端子、２は筒状体、２１はセンサ、２２は中空部、２３はフランジ固定手段を構成するフランジ挿入口、２４は同じくフランジ固定手段を構成するフランジ案内溝、２５は同じくフランジ固定手段を構成する突起、３はカバー胴体、３１は雌型同軸ケーブルである。
【００１１】
本実施例であるこの複合電極は、先端部に液絡部１１を備え、後端部に参照電極接続端子１４を備えた参照電極１と、先端部に化学的変化量を検出するセンサ２１と参照電極１を保持する中空部２２を備えた筒状体２と、を有する。また、この複合電極は筒状体２と一体的にカバー胴体３を設けてある。このカバー胴体３は雌型同軸ケーブル３１を設けてあり、参照電極接続端子１４を雄型にすることにより、雌型同軸ケーブル３１は参照電極接続端子１４と嵌着可能になり、液絡部１１と化学的変化量を測定する測定回路とを電気的に接続可能にしてある。なお、本実施例では、化学的変化量を測定する測定回路３２をカバー胴体３に内蔵しておらず、外付けしてある。
【００１２】
本発明に係る参照電極１の先端部外周の一部にフランジ１２を設けてある。本実施例ではフランジ１２を左右対照に二箇所設けてあり、このフランジ１２の外周縁の一部を平滑にしてある。また、フランジ１２の筒状体挿入側の面にシール部１３を装着してある。なお、フランジ１２を参照電極１の先端部外周の一部に設けてあればよく、少なくとも一箇所有してあればよい。また、フランジ１２の外周縁の一部を平滑にすることやフランジ１２の筒状体挿入側の面にシール部１３を装着することは必ずしも必要ではない。
【００１３】
一方、筒状体２の先端部には参照電極固定手段を設けてある。この参照電極固定手段はフランジ１２を固定する手段であり、フランジ１２を着脱することにより、参照電極１を筒状体２に着脱するものである。具体的には、筒状体２の先端部にフランジ１２を挿入するフランジ挿入口２３を形成してある。本実施例では、筒状体２の先端部の上縁と下側左右側縁にフランジ挿入口２３を形成してある。このフランジ挿入口２３の測定部側内周にフランジ１２を案内するフランジ案内溝２４を形成してある。本実施例では、センサ２１を設けた部分を除いた部分の内周縁にフランジ案内溝２４を形成してある。また、筒状体２の先端部の上縁と下側左右側縁にフランジ挿入口２３を形成したことにより、筒状体２の先端部には内向きの突起２５が構成されている。本実施例では図示していないが、例えば、この突起２５を利用して、フランジ案内溝２４の幅を徐々に狭めたり、この突起２５若しくはフランジ案内溝２４に小さい凸部を設け、この凸部にフランジ１２を係止させて、フランジ１２を固定する手段がある。
【００１４】
また、本実施例では、フランジ挿入口２３に挿入したフランジ１２がフランジ案内溝２４を回動するためのフランジ回動手段を設けてある。具体的には、参照電極１の先端面上に回動穴１５をフランジ１２と同様に左右二つ設けてある。これら回動穴１５は心棒を挿し込めるように構成してあり、心棒を回動させることにより、参照電極１が回動し、フランジ１２がフランジ案内溝２４に嵌まって、参照電極１と筒状体２とが着脱可能になるように構成してある。なお、回動穴１５の代わりに、突起を設け、この突起に中空の心棒を挿し込めるように構成することも可能である。
【００１５】
本実施例に係る複合電極は、以上のように構成してあり、以下のように作用する。心棒を参照電極１に設けた回動穴１５に挿し込み、参照電極１に設けた参照電極接続端子１４が雌型同軸ケーブル３１に挿入するまで、参照電極１を筒状体２の中空部２２に挿入する。
【００１６】
続いて、図３に示すように、参照電極１の先端部の左右に設けたフランジ１２を傾けてフランジ挿入口２３に挿入する。フランジ１２をフランジ挿入口２３に挿入した状態を図６に示す。フランジ１２はフランジ案内溝２４に収まったところを心棒で回動穴１５を回転させると、フランジ１２はフランジ案内溝２４により案内される。フランジ１２を固定する手段により、フランジ１２をフランジ案内溝２４内に固定させると、図３及び図８に示すように、参照電極接続端子１４は雌型同軸ケーブル３１に嵌着して、液絡部１１と測定回路とが電気的に接続する。また、参照電極１の大部分が筒状体２内に格納される。
【００１７】
参照電極１が筒状体２内に格納されると、図３及び図８に示すように、液絡部１１のみが筒状体２から突出している状態になる。これにより、参照電極１を取り外すことなく、洗浄することができる。また、容易に洗浄するだけで、再度測定が可能となり、測定再現性を容易に維持することができる。さらに、参照電極１の先端部を洗浄するだけで、再度測定可能になるため、測定部に洗浄液が浸水するおそれがなくなり、測定部の破損を防止することができる。
【００１８】
また、参照電極固定手段により、固定されている参照電極１を取り外すには、心棒を回動穴１５に挿し込み、フランジ１２を固定させる場合と逆方向に回動穴１５を回転させると、フランジ１２はフランジ案内溝２４内を案内され、図３に示すように、参照電極１の先端部の左右に設けたフランジ１２を傾けることができる。これにより、フランジ１２はフランジ挿入口２３を通過して、フランジ１２は筒状体２内から出ることができる。このとき、参照電極接続端子１４と雌型同軸ケーブル３１とが嵌着した状態が解除され、液絡部１１と測定回路との電気的接続が解かれる。
【００１９】
心棒を使って参照電極１を引っ張り出すことにより、参照電極接続端子１４は雌型同軸ケーブル３１から容易に外れ、さらに参照電極１を引っ張り出すと、図２に示すように、参照電極１を筒状体２から離脱することができる。
【００２０】
【発明の効果】
本発明によれば、参照電極を比較的容易に着脱できるうえ、参照電極の大部分を筒状体に格納可能にしたことにより、参照電極を取り外すことなく、洗浄することができる効果がある。
【００２１】
また、本発明は、参照電極の先端部を洗浄するだけで、再度測定が可能となり、測定再現性を容易に維持することができる効果がある。
【００２２】
さらに、本発明は、参照電極の先端部を洗浄するだけで、再度測定可能になることから、測定部に洗浄液が浸水するおそれがなくなり、測定部の破損を防止することができる効果がある。
【図面の簡単な説明】
【図１】本発明に係る一実施例を示す側面断面図である。
【図２】図１図示実施例における参照電極を取り外した場合の側面断面図である。
【図３】図１図示実施例における参照電極を取り付ける際のＡ−Ａ断面図である。
【図４】図１図示実施例における参照電極を装着した場合のＡ−Ａ断面図である。
【図５】図１図示実施例における参照電極を取り付ける際の平面断面図である。
【図６】図５図示平面断面の要部拡大図である。
【図７】図１図示実施例における参照電極を装着した場合の平面断面図である。
【図８】図７図示平面断面の要部拡大図である。
【図９】従来例を示す側面断面図である。
【図１０】図７図示従来例における参照電極を取り外した場合の側面断面図である。
【符号の説明】
１　参照電極
１１　液絡部
１２　フランジ
１３　シール部
１４　参照電極接続端子
１６　前部
１７　後部
１８　段差
１９　シール部
２　筒状体
２１　センサ
２２　中空部
２３　フランジ挿入口
２４　フランジ案内溝
２４　フランジ案内溝
２５　突起
２７　参照電極嵌合溝
２８　先端
３　カバー胴体
３１　雌型同軸ケーブル
３２　測定回路
【図１】
2004028677.tif 000003
【図２】
2004028677.tif 000004
【図３】
2004028677.tif 000005
【図４】
2004028677.tif 000006
【図５】
2004028677.tif 000007
【図６】
2004028677.tif 000008
【図７】
2004028677.tif 000009
【図８】
2004028677.tif 000010
【図９】
2004028677.tif 000011
【図１０】
2004028677.tif 000012